(57)【要約】【課題】記録媒体の価値喪失処理と厳格な管理とを考慮した記録媒体価値喪失処理装置を提供すること。【解決手段】記録媒体価値喪失処理装置（２）は、記録媒体Ｐ自体の価値を喪失させる処理を行う価値喪失処理手段（３）と、該価値喪失処理手段（３）によって喪失処理される際の記録媒体Ｐの情報を読み取る読み取り手段４と、を備えていることを特徴とする。また、前記価値喪失処理手段（３）は、記録媒体Ｐを破棄する構成であり、前記読み取り手段４は、記録媒体Ｐが破棄される際に該記録媒体Ｐの情報を読み取る構成であることを特徴とする。【選択図】図１
2012123601.tif 000002
【特許請求の範囲】
【請求項１】
記録媒体自体の価値を喪失させる処理を行う価値喪失処理手段と、
該価値喪失処理手段によって喪失処理される際の記録媒体の情報を読み取る読み取り手段と、を備える記録媒体価値喪失処理装置。
【請求項２】
請求項１に記載の記録媒体価値喪失処理装置において、前記読み取り手段は、記録媒体に記録された画像を読み取る構成である記録媒体価値喪失処理装置。
【請求項３】
請求項１または２に記載の記録媒体価値喪失処理装置において、前記読み取り手段は、第１センサーおよび第２センサーを有しており、
該第１センサーおよび第２センサーは、解像度が異なる構成である記録媒体価値喪失処理装置。
【請求項４】
請求項１から３のいずれか１項に記載の記録媒体価値喪失処理装置において、
前記価値喪失処理手段は、記録媒体を破棄する構成であり、
前記読み取り手段は、記録媒体が破棄される際に該記録媒体の情報を読み取る構成である記録媒体価値喪失処理装置。
【請求項５】
請求項１から３のいずれか１項に記載の記録媒体価値喪失処理装置において、
前記価値喪失処理手段は、記録媒体自体の価値を喪失させる内容の記録を記録媒体に対して行う構成であり、
前記読み取り手段は、前記価値喪失処理手段による記録が行われた後に記録媒体の情報を読み取る構成である記録媒体価値喪失処理装置。
【請求項６】
媒体に対して記録する記録部と、
記録された媒体自体の価値を喪失させる処理をする価値喪失処理部と、を備えた媒体管理システムであって、
前記価値喪失処理部は、請求項１から５のいずれか１項に記載の記録媒体価値喪失処理装置を備え、
前記読み取り手段によって読み取った情報を前記記録部へ送り、該記録部が前記情報に基づいて記録する構成である媒体管理システム。
【発明の詳細な説明】
【技術分野】
【０００１】
本発明は、記録媒体自体の価値を喪失させる処理を行う記録媒体価値喪失処理装置および該記録媒体価値喪失処理装置を備えた媒体管理システムに関する。
【背景技術】
【０００２】
従来では、特許文献１に示す如く、正常に印刷が行われていない場合があり、正常に印刷が行われているか否かを判定する手段を備えることにより、正常に印刷が行われていない印刷物に対して課金が行われることを回避していた。そして、再度印刷し、正常に印刷が行われたと判定した場合、課金が行われるように構成されていた。
【先行技術文献】
【特許文献】
【０００３】
【特許文献１】特開２００６−２５２３７８号公報
【発明の概要】
【発明が解決しようとする課題】
【０００４】
ここで、印刷物には、枚数が厳格に制限されているものがある。例えば、有価証券や著作物等の高価な価値を有する印刷物は、枚数が厳格に制限されている。このような印刷物は、発行枚数が所定の枚数に制限されており、異なるシリアルナンバーが付されて厳格に管理されるべきものである。  
そして、このような印刷物を印刷・発行する際、正常に印刷が行われなかった場合、破棄して再発行するべきである。
【０００５】
しかしながら、破棄したか否かは、人任せであり、うっかり破棄し忘れたものを再発行してしまう虞がある。また、破棄したとみせかけて再発行し、唯一であるはずのものが複数あるような不正や、所定の枚数だけあるはずのものがそれより多い枚数あるような不正が生じる虞がある。
【０００６】
本発明は、このような状況に鑑み成されたものであり、その課題は、記録媒体の価値喪失処理と厳格な管理とを考慮した記録媒体価値喪失処理装置および該記録媒体価値喪失処理装置を備えた媒体管理システムを提供することである。
【課題を解決するための手段】
【０００７】
上記課題を達成するため、本発明の第１の態様の記録媒体価値喪失処理装置は、記録媒体自体の価値を喪失させる処理を行う価値喪失処理手段と、該価値喪失処理手段によって喪失処理される際の記録媒体の情報を読み取る読み取り手段と、を備えていることを特徴とする。  
ここで、「記録媒体自体の価値を喪失させる処理」とは、記録媒体自体の価値を無くす目的で行われる処理をいう。例えば、細かく切り刻むシュレッダー等の破棄処理、「無効」、「×」等のスタンプを押したような印付けや、一部または全部を塗りつぶす処理、記録媒体自体を溶かす処理等がある。  
また、「記録媒体の情報」とは、どのような記録媒体であるかがわかる情報をいう。例えば、有価証券の種類、証券のシリアルナンバーについての情報であり、記録媒体を厳格に管理するために必要な情報である。証券の画像自体でなくとも、画像の近傍に設けられたバーコード、電子透かし、ＩＣタグ等に情報があり、これらから情報を読み取る構成でもよい。
【０００８】
本態様によれば、前記読み取り手段によって、どのような記録媒体を、どれだけの数量（何枚）、記録媒体自体の価値を喪失させる処理を行ったかを、厳格に把握することができる。即ち、人任せではなく、装置によって前記処理を行った対象物とその枚数を厳格に把握することができる。その結果、うっかり破棄し忘れたものを再発行してしまう虞がない。つまり、前記処理を行った「はず」というようなことが生じることを防止することができる。
【０００９】
また、破棄したとみせかけて再発行し、唯一であるはずのものが複数あるような不正や、所定の枚数だけあるはずのものがそれより多い枚数あるような不正が生じる虞がない。  
例えば、所定枚数として五枚だけ記録可能であるという、厳格な制限がある有価証券や著作物等の媒体について、前記処理を行ったように見せかけて、実際には前記処理を行わず、媒体が五枚の制限を超えた六枚以上存在するような不正を防止することができる。
【００１０】
本発明の第２の態様は、第１の態様において、前記読み取り手段は、記録媒体に記録された画像を読み取る構成であることを特徴とする。ここで、「画像」とは、記録媒体に記録された図、文字、線、絵等をいう。  
本態様によれば、第１の態様と同様の作用効果に加え、記録媒体自体の価値を有する部分である画像そのものを読み取るので、どのような記録媒体であるかを確実に読み取ることができる。特に、価値を有する画像と、シリアルナンバー等とが離れた位置に記録されていた場合であっても、両者を読み取るので、不正を防止することができ有効である。
【００１１】
本発明の第３の態様は、第１または第２の態様において、前記読み取り手段は、第１センサーおよび第２センサーを有しており、該第１センサーおよび第２センサーは、解像度が異なる構成であることを特徴とする。  
本態様によれば、第１または第２の態様と同様の作用効果に加え、例えば、第１センサーを高解像度とし、第２センサーを低解像度とすることができる。係る場合、前記第１センサーによって、記録媒体の種類やシリアルナンバー等の情報を高精度で読み取ることができる。一方、前記第２センサーによって読み取っている記録媒体が原本であるか、複製物であるかを判定することが可能である。
【００１２】
例えば、原本に記録された大きいドットと、小さいドットとの差によるスキャナー（センサー）の読み取りの違いを利用し、複製する際に大きいドットのみを前記スキャナーが読み取ることによって複製である旨の文字（隠し文字（浮き文字ともいう））等が生じるように構成されている場合がある。係る場合、詳しくは実施例で後述するように、前記第１センサーによって記録媒体を読み取ると、原本を読み取った場合であっても、複製物を読み取った場合と同じ認識となる。そのため、原本であるか複製物であるかの区別がつかない。
【００１３】
そこで、第１センサーより低い解像度の第２センサーを併用する。ここで、スキャナーで読み取った際に網点と画素が干渉してモアレが多少なりとも生じる。そして、前記第２センサーは、詳しくは実施例で後述するように、低解像度であるため、隠し文字「複製・コピー」等の情報を、複製した際に発生した地紋部分のモアレと区別して、容易に読み取ることができる。  
従って、原本であるか、複製物であるかを判定することができる。その結果、複製物を前記処理することにより原本を前記処理したように見せかける不正を防止することができる。
【００１４】
本発明の第４の態様は、第１から第３のいずれか一の態様において、前記価値喪失処理手段は、記録媒体を破棄する構成であり、前記読み取り手段は、記録媒体が破棄される際に該記録媒体の情報を読み取る構成であることを特徴とする。  
本態様によれば、第１から第３のいずれか一の態様と同様の作用効果に加え、破棄することにより、確実に記録媒体の価値を喪失させることができる。また、破棄される際に前記記録媒体の情報を読み取るので、破棄された記録媒体と、読み取った情報の内容との整合を取ることができる。即ち、読み取った情報が記録されていた記録媒体が破棄されていないという矛盾したこと（不正）が生じることを防止することができる。  
尚、前記読み取り手段を、記録媒体が送られる方向において、前記価値喪失処理手段の上流側の直前に設けることが望ましい。前記価値喪失処理手段を迂回する経路を構成することをできなくし、破棄される直前または破棄されているところを読み取ることができるからである。
【００１５】
本発明の第５の態様は、第１から第３のいずれか一の態様において、前記価値喪失処理手段は、記録媒体自体の価値を喪失させる内容の記録を記録媒体に対して行う構成であり、前記読み取り手段は、前記価値喪失処理手段による記録が行われた後に記録媒体の情報を読み取る構成であることを特徴とする。  
ここで、「価値を喪失させる内容の記録」とは、一見して価値がないと判るような記録をいう。例えば、「無効」、「×」等のスタンプを押したような印を記録することや、一部または全部を塗りつぶす記録をすることを挙げることができる。
【００１６】
本態様によれば、第１から第３のいずれか一の態様と同様の作用効果に加え、容易に記録媒体自体の価値を喪失させることができる。例えば、「無効」や「×」等のスタンプを押したような印を記録することにより、容易に記録媒体自体の価値を喪失させることができる。また、価値を喪失させる内容の記録が行われた後に記録媒体の情報を読み取るので、価値を喪失させる記録がされた記録媒体と、読み取った情報の内容との整合を取ることができる。即ち、読み取った情報が記録されていた記録媒体の価値が喪失していないという矛盾したこと（不正）が生じることを防止することができる。  
尚、「無効」、「×」等の印の記録や、一部を塗りつぶす記録であって、全部を塗りつぶしていなければ、容易に記録媒体の情報を読み取ることができる。また、全部を塗りつぶした場合であっても、ＩＣタグから記録媒体の情報を読み取ることが可能である。
【００１７】
本発明の第６の態様の媒体管理システムは、媒体に対して記録する記録部と、記録された媒体自体の価値を喪失させる処理をする価値喪失処理部と、を備えた媒体管理システムであって、前記価値喪失処理部は、上記第１から第５のいずれか一の態様の記録媒体価値喪失処理装置を備え、前記読み取り手段によって読み取った情報を前記記録部へ送り、該記録部が前記情報に基づいて記録する構成であることを特徴とする。
【００１８】
本態様によれば、前記価値喪失処理部は、上記第１から第５のいずれか一の態様の記録媒体価値喪失処理装置を備えている。従って、前記媒体管理システムにおいて、上記第１から第５のいずれか一の態様と同様の作用効果を得ることができる。  
また、前記媒体管理システムは、前記読み取り手段によって読み取った情報を前記記録部へ送り、該記録部が前記情報に基づいて記録する構成であることを特徴とする。従って、記録媒体自体の価値を喪失させる処理を行った記録媒体について、厳格な制限の範囲内で同じ記録媒体を再記録することができる。即ち、前記価値を喪失させる処理を行った記録媒体と同じものを同じ数量だけ再発行することができ、厳格な制限を超えるような不正を防止することができる。
【図面の簡単な説明】
【００１９】
【図１】本実施例の媒体管理システムの概略を示す側面図。
【図２】本実施例の媒体管理システムの制御を示す図。
【図３】（Ａ）（Ｂ）は原本と複製物との違いを示す図。
【図４】（Ａ）〜（Ｄ）は記録媒体のバリエーションの例を示す図。
【図５】（Ａ）（Ｂ）は他の実施例の媒体管理システムの概略を示す図。
【発明を実施するための形態】
【００２０】
以下、本発明の実施の形態を図面に基づいて説明する。  
図１に示すのは、本実施例の媒体管理システム１の概略を示す側面図である。  
図１に示す如く、本実施例の媒体管理システム１は、記録媒体Ｐの枚数について厳格な制限がある記録媒体Ｐを管理するためのシステムである。記録媒体Ｐとして、例えば、有価証券、著作物、紙幣等を挙げることができる。
【００２１】
具体的に、媒体管理システム１は、記録媒体価値喪失処理装置である価値喪失処理部２と、記録装置である記録部１０とを備えている。このうち、価値喪失処理部２は、記録媒体Ｐ自体の価値を喪失させる処理を行うように構成されている。記録媒体Ｐ自体の価値を喪失させる手段として、破棄すること、溶解すること、無効とすること等がある。本実施例では、一例である破棄するやり方として説明する。
【００２２】
価値喪失処理部２は、筐体８の内部に、読み取り手段４と、価値喪失処理手段としての破棄手段３とを備えている。このうち、筐体８には、筐体８の外部から内部に記録媒体Ｐを入れるための入り口９が形成されている。また、読み取り手段４は、記録媒体Ｐの情報を読み取ることができるように構成されている。具体的には、読み取り手段４は、第１センサー４ａと、第２センサー４ｂとを有している。第１センサー４ａは、高解像度で記録媒体Ｐの画像Ｂ（図４参照）等の図、文字、線、絵等を読み取ることができるように構成されている。一方、第２センサー４ｂは、第１センサー４ａより低解像度で記録媒体Ｐの画像Ｂ（図４参照）を読み取ることができるように構成されている。
【００２３】
従って、第１センサー４ａは、記録媒体Ｐについて、記録媒体Ｐの画像Ｂの情報やシリアルナンバーＥ（図４（Ｅ）参照）等の情報を読み取ることができる。また、第２センサー４ｂは、後述するように記録媒体Ｐが複製物であった場合にモアレ等によって浮かび上がる文字Ａ（図３参照）等を読み取ることができるように構成されている。  
また、破棄手段３は、回転刃を有しており、記録媒体Ｐを細かく切断することができるように設けられている。所謂、シュレッダーである。細かく切断された記録媒体Ｐはくずとなって蓄積部６に蓄積される。
【００２４】
また、読み取り手段４は、記録媒体Ｐが送られる経路における入り口９と、破棄手段３との間に配設されている。さらに、読み取り手段４は、記録媒体Ｐが送られる方向における破棄手段３の上流側近傍（直前）に設けられている。従って、読み取り手段４によって情報が読み取られた記録媒体Ｐは、必ず破棄手段３によって破棄される。その結果、破棄したようにみせかけて、実際には破棄していないといった不正を防止することができる。
【００２５】
また、破棄手段３の下流側には、第３センサー５が設けられている。第３センサー５は、記録媒体Ｐの切断片を検出することができるように設けられている。またさらに、第１センサー４ａ〜第３センサー５の情報は、判定部７へ送られるように構成されている。判定部７は、詳しくは後述するように、記録媒体Ｐの種類、枚数、複製物か否か、破棄が完了したか否かを判定することができるように設けられている。
【００２６】
一方、記録部１０は、制御部１１と、記録ヘッド１２と、媒体支持部１３とを有している。このうち、制御部１１は、価値喪失処理部２から送られたデータに基づいて、記録ヘッド１２を制御して記録を実行するように構成されている。記録ヘッド１２は、記録媒体Ｐに対してノズルからインクを吐出して記録を実行することができるように設けられている。また、媒体支持部１３は、記録ヘッド１２と対向する位置に設けられ、記録媒体Ｐを支持して記録ヘッド１２と記録媒体Ｐとの間の距離を所定の距離とすることができるように構成されている。
【００２７】
続いて、媒体管理システム１の制御について説明する。  
図２に示すのは、本実施例の媒体管理システム１の制御を示す図である。  
図２に示す如く、ステップＳ１では、価値喪失処理部２の筐体８の入り口９から入れられた記録媒体Ｐの情報を、読み取り手段４の第１センサー４ａによって読み取る。これにより、破棄されようとする記録媒体Ｐの種類、シリアルナンバーＥ、枚数等の情報を読み取ることができる。そして、破棄されようとする記録媒体Ｐが複製物であるか否かの判定を行うための読み取りを行うべく、ステップＳ２へ進む。
【００２８】
ステップＳ２では、読み取り手段４の第２センサー４ｂによって、破棄されようとする記録媒体Ｐが複製物であるか否かの判定を行うための読み取りを行う。  
ここで、記録媒体Ｐが原本であるか複製物であるかの違いについて説明する。  
図３（Ａ）（Ｂ）に示すのは、原本と複製物との違いを示す図である。このうち、図３（Ａ）は原本である。一方、図３（Ｂ）は複製物である。尚、図３（Ｂ）において、理解を容易にするために、複製物である旨の文字Ａ（隠し文字（浮き文字ともいう））の輪郭を強調して図示してある。
【００２９】
図３（Ａ）（Ｂ）に示す如く、管理が厳格な記録媒体Ｐには、複製すると意図的に複製物である旨の文字Ａ等が浮かび上がるような公知技術である処理が施されている。例えば、高解像度である６００ｄｐｉ設定のスキャナーが認識できない程度の小さなドットと、該スキャナーが認識できる程度の大きなドットと、から構成されており、複製するために該スキャナーが読み取ったとき、小さなドットを認識せず、大きなドットのみを認識する。そして、複製物として記録するとき、大きなドットのみが記録されるので、小さなドットがあった位置が、白抜きにされ複製物である旨の文字Ａ等として浮かび上がる。尚、大きなドットがあった位置が、複製物である旨の文字等として浮かび上がる構成でもよい。
【００３０】
ところが、高解像度である第１センサー４ａによって、記録媒体Ｐを読み取ると、原本を読み取った場合であっても、複製物を読み取った場合と同じ認識となる。そのため、原本であるか複製物であるかの区別がつかない。  
そこで、第１センサー４ａより解像度が低い第２センサー４ｂを併用し、第２センサー４ｂによって、複製物である旨の文字Ａ等の有無を読み取る。第２センサー４ｂは、複製した際に発生した地紋部分のモアレと印刷結果の画像とを確実に判別することができる。
【００３１】
ここで、第２センサー４ｂの解像度は、複製した際に発生した地紋部分のモアレを検出することができ、前記大きなドットおよび小さなドットを検出することができない程度である。モアレは網点と画素とが干渉して生じる縞模様である。モアレが生じることにより前記大きなドットが縞模様となり、該縞模様において、前記大きなドットがさらに大きくみえる部分が生じる。
【００３２】
従って、第２センサー４ｂは、隠し文字「複製・コピー」等の情報を、複製した際に発生した地紋部分のモアレと区別して、容易に読み取ることができる。その結果、第２センサー４ｂが読み取った情報から、記録媒体Ｐが原本であるか複製物であるかを確実に判別することができる。  
尚、前記小さなドットを認識することができる程度に第２センサー４ｂの解像度を超高解像度にし、原本か複製物かを判別することが考えられるが、コスト等の問題により実用的でない。
【００３３】
技術的思想としては、第１センサー４ａおよび第２センサー４ｂの解像度が異なる二つのセンサーを併用することによって、記録媒体の種類と、複製物であるか否かと、を判定することができればよい。具体的に、第１センサー４ａの解像度は、隠し文字（浮き文字ともいう）が施されている場合に、前記小さいドットを認識せず、前記大きなドットを認識することができる程度であればよい。一方、第２センサー４ｂの解像度は、前記小さいドットおよび前記大きなドットを認識せず、モアレによる縞模様を認識することができる程度であればよい。モアレを利用して、隠し文字（浮き文字ともいう）の有無を読み取るためである。
【００３４】
このように、第２センサー４ｂを併用し、第２センサー４ｂによって、モアレを利用して複製物である旨の文字Ａ等の有無を読み取る。そして、記録媒体Ｐ自体の価値を喪失させる処理をするべくステップＳ３へ進む。  
ステップＳ３では、読み取り手段４によって情報を読み取った記録媒体Ｐに対して、記録媒体Ｐ自体の価値を喪失させる処理をする。本実施例では、破棄手段３によって破棄する。そして、処理が完了したかの判定をするべく、ステップＳ４へ進む。
【００３５】
ステップＳ４では、処理が完了したか否かを判定部７が判定する。処理が確実に行われたか否かを厳格に管理するためである。具体的には、第３センサー５が、切断片を検出している状態から検出しなくなった状態に切り替わったとき、処理が完了したと判定する。尚、読み取り手段４によって記録媒体Ｐのサイズ情報をも読み取り、すぐ手前のローラー対によってそのサイズ分の距離だけ送られたこと、かつ、第３センサー５が前記検出しなくなった状態に切り替わったことを、処理が完了したと判定する条件とするとより確実である。処理が完了したと判定した場合、処理した記録媒体Ｐの情報について判定するべく、ステップＳ５へ進む。一方、まだ完了していないと判定した場合、処理が完了するまでステップＳ３へ戻って繰り返す。
【００３６】
ステップＳ５では、第１センサー４ａで読み取った情報に基づいて、枚数について厳格な制限がある記録媒体Ｐであるか否かを判定部７が判定する。前記厳格な制限がある記録媒体Ｐであるか否かは、前記厳格な制限がある記録媒体Ｐについてのデータベースを有しており、所定の条件のもと、データ上でテンプレートマッチング等によって判定するものとする。枚数について厳格な制限がある記録媒体Ｐである場合、処理した記録媒体Ｐが原本であるか複製物であるかの判定をするべく、ステップＳ６へ進む。一方、枚数について厳格な制限がない記録媒体Ｐである場合、特に管理する必要がないので、シーケンスを終了する。必要であれば、他の記録装置で再記録すればよい。
【００３７】
ステップＳ６では、第２センサー４ｂで読み取った情報に基づいて、破棄した記録媒体Ｐが原本であったか複製物であったかを判定部７が判定する。原本であったと判定した場合、記録部１０に対して破棄した枚数だけ再発行（再記録）することを許可するべく、ステップＳ７へ進む。一方、複製物であったと判定した場合、原本を破棄したと見せかけて複製物を破棄したという不正の疑いがあるため、警告をするべく、ステップＳ９へ進む。
【００３８】
ステップＳ７では、破棄した記録媒体Ｐの再発行（再記録）を判定部７が記録部１０へ許可するべく、破棄した記録媒体Ｐの情報を記録部１０へ送信する。例えば、有価証券の種類、シリアルナンバーＥ、枚数等の情報を送信する。そして、再発行（再記録）するべく、ステップＳ８へ進む。  
ステップＳ８では、価値喪失処理部２から送信された情報に基づいて、記録部１０が、記録媒体Ｐを再発行するべく記録を実行する。この際、枚数について厳格な制限の範囲内で許可された枚数だけ記録を実行する。そして、シーケンスを終了する。  
ステップＳ９では、不正の疑いがあるので、その旨を警告する。警告の仕方は、モニター表示でもよいし、警告音でもよい。そして、シーケンスを終了する。
【００３９】
以上、説明したように、本実施例の媒体管理システム１は、確実に破棄された記録媒体Ｐについての情報を記録部１０へ送信し、再発行する。従って、うっかり破棄し忘れたものを再発行してしまう虞がない。また、破棄したとみせかけるような不正を防止することができる。その結果、枚数に制限がある記録媒体Ｐについて、厳格に枚数を管理することができる。
【００４０】
図４（Ａ）〜（Ｄ）に示すのは、記録媒体Ｐのバリエーションの例を示す図である。  
図４（Ａ）に示す如く、記録媒体Ｐに画像Ｂが記録されており、さらに画像Ｂの近傍にバーコードＣが記録されている。そして、第１センサー４ａが画像Ｂを読み取る構成でもよいが、バーコードＣを読み取る構成としてもよい。
【００４１】
また、図４（Ｂ）に示す如く、画像Ｂに電子透かしＤが施されており、第１センサー４ａが電子透かしＤを読み取る構成としてもよい。電子透かしＤは、知覚困難型であって、人の目では判別できないが、第１センサー４ａ等の装置では読み取ることができる情報であることが望ましい。尚、図４（Ｂ）では、理解を容易にするために、電子透かしＤの輪郭を強調して図示してある。
【００４２】
またさらに、図４（Ｃ）に示す如く、画像Ｂの近傍にシリアルナンバーＥが記録されており、第１センサー４ａがシリアルナンバーＥを読み取る構成としてもよい。  
また、図４（Ｄ）に示す如く、画像Ｂの近傍にＩＣタグＦが埋め込まれており、第１センサー４ａがＩＣタグＦから情報を読み取る構成としてもよい。
【００４３】
本実施例の記録媒体価値喪失処理装置としての価値喪失処理部２は、記録媒体Ｐ自体の価値を喪失させる処理を行う価値喪失処理手段の一例である破棄手段３と、破棄手段３によって喪失処理される際の記録媒体Ｐの情報を読み取る読み取り手段４と、を備えていることを特徴とする。  
また、本実施例において、読み取り手段４は、記録媒体Ｐに記録された画像Ｂを読み取る構成であることを特徴とする。
【００４４】
またさらに、本実施例において、読み取り手段４は、第１センサー４ａおよび第２センサー４ｂを有しており、第１センサー４ａおよび第２センサー４ｂは、解像度が異なる構成であることを特徴とする。尚、本実施例では、第１センサー４ａが高解像度であり、第２センサー４ｂが低解像度である。逆の構成でもよいのは勿論である。  
また、本実施例において、破棄手段３は、記録媒体Ｐを破棄する構成であり、読み取り手段４は、記録媒体Ｐが破棄される際に記録媒体Ｐの情報を読み取る構成であることを特徴とする。
【００４５】
本実施例の媒体管理システム１は、媒体に対して記録する記録部１０と、記録された記録媒体Ｐ自体の価値を喪失させる処理をする価値喪失処理部２と、を備えた媒体管理システム１であって、読み取り手段４によって読み取った情報を記録部１０へ送り、記録部１０が前記情報に基づいて記録する構成であることを特徴とする。
【００４６】
［他の実施例］
続いて、価値喪失処理についての他の実施例について説明する。前述した実施例では、価値喪失処理として記録媒体Ｐを破棄したが、他の実施例では無効化記録をする点で異なる。前述した実施例と同様の構成については、同じ符号を用いることとし、その説明は省略する。  
図５（Ａ）（Ｂ）に示すのは、他の実施例の媒体管理システム１の概略を示す図である。このうち、図５（Ａ）は媒体管理システム１の概略を示す平面図である。一方、図５（Ｂ）は価値喪失処理された記録媒体Ｐである。
【００４７】
図５（Ａ）に示す如く、他の実施例の媒体管理システム１は、無効化記録装置としての価値喪失処理部２０を備えている。また、価値喪失処理部２０は、価値喪失処理手段としての無効化手段２１を備えている。無効化手段２１は、記録ヘッド２２を有しており、筐体８の入り口９から入れられた記録媒体Ｐに対して、記録媒体Ｐ自体の価値を喪失させる価値喪失記録Ｇを実行するように設けられている。
【００４８】
他の実施例では、図５（Ｂ）に示す如く、スタンプを押すように一例として、「Invalid 無効」と上から重ねて記録する。そのすぐ後において、「Invalid 無効」と記録された記録媒体Ｐの情報を、読み取り手段４が読み取るように構成されている。  
そして、判定部７が、前述した実施例と同様の判定を行い、厳格な管理のもとで、記録部１０が、記録媒体Ｐを再発行するように構成されている。
【００４９】
他の実施例において、価値喪失処理手段の一例である無効化手段２１は、記録媒体Ｐ自体の価値を喪失させる内容の記録としての価値喪失記録Ｇを記録媒体Ｐに対して行う構成であり、読み取り手段４は、無効化手段２１による記録が行われた後に記録媒体Ｐの情報を読み取る構成であることを特徴とする。
【００５０】
尚、他の実施例では、一例として、「Invalid 無効」と記録したがこれに限らない。一見して価値がないと判るような記録であればよい。例えば、「無効」、「×」等のスタンプを押したような印を記録してもよい。また、一部または全部を塗りつぶす記録をしてもよい。  
また、本発明は上記実施例に限定されることなく、特許請求の範囲に記載した発明の範囲内で、種々の変形が可能であり、それらも本発明の範囲内に含まれるものであることは言うまでもない。
【符号の説明】
【００５１】
１  媒体管理システム、２  価値喪失処理部（記録媒体価値喪失処理装置）、
３  破棄手段（価値喪失処理手段）、４  読み取り手段、４ａ  第１センサー、
４ｂ  第２センサー、５  第３センサー、６  蓄積部、７  判定部、８  筐体、
９  入り口、１０  記録部（記録装置）、１１  制御部、１２  記録ヘッド、
１３  媒体支持部、２０  （他の実施例の）価値喪失処理部（無効化記録装置）、
２１  無効化手段（価値喪失処理手段）、２２  記録ヘッド、Ａ  浮かび上がる文字、
Ｂ  画像、Ｃ  バーコード、Ｄ  電子透かし、Ｅ  シリアルナンバー、Ｆ  ＩＣタグ、
Ｇ  （他の実施例の）価値喪失記録、Ｐ  記録媒体
【図１】
2012123601.tif 000003
【図２】
2012123601.tif 000004
【図３】
2012123601.tif 000005
【図４】
2012123601.tif 000006
【図５】
2012123601.tif 000007